(57)【要約】【課題】結婚式場の決定を支援できる生活支援システムを提供する。【解決手段】生活支援システム１は、管理サーバ２と、会員端末３と、結婚式場端末４とで構成される。管理サーバ２は、会員情報データベース６と、結婚式場情報データベース７を有する。会員端末３は、管理サーバ２に対して、結婚式場情報データベース７に記録された結婚式場情報を会員端末３に送信するよう要求する。会員端末３は、管理サーバ２から送られてきた結婚式場情報の中から、結婚式場の仮予約を申し込む情報を管理サーバ２にインターネット５を介して送信する。管理サーバ２は、会員端末３から結婚式場仮予約申込情報が送信された場合に、結婚式場が利用する結婚式場端末４へインターネット５を介して結婚式場仮予約申込情報を転送する。【選択図】図１
2011022697.tif 000002
【特許請求の範囲】
【請求項１】
会員に関する情報を記録する会員情報記録手段と、
結婚式場に関する情報を記録する結婚式場情報記録手段と、
前記会員情報記録手段に記録された会員が利用する会員端末からの要求に応じて、前記結婚式場情報記録手段に記録された結婚式場情報を前記会員端末へ送信する結婚式場情報送信手段と、
前記会員端末から結婚式場の仮予約を申し込む情報を受信する結婚式場仮予約申込情報受信手段と、
該結婚式場仮予約申込情報受信手段によって結婚式場仮予約申込情報を受信した場合に、結婚式場が利用する結婚式場端末へ結婚式場仮予約申込情報を転送する結婚式場仮予約申込情報転送手段とを有する管理サーバによって会員の生活を支援する
生活支援システム。
【請求項２】
前記管理サーバは、現在の日付から前記会員情報記録手段に記録された挙式予定日付までの日数に対応して、挙式に関する情報を前記会員端末へ送信する挙式情報送信手段を有する
請求項１に記載の生活支援システム。
【請求項３】
前記管理サーバは、結婚に関連する店舗の情報を記録する結婚関連店舗情報記録手段と、
該結婚関連店舗情報記録手段に記録された結婚関連店舗情報を前記会員端末へ送信する結婚関連店舗情報送信手段とを有する
請求項１または請求項２に記載の生活支援システム。
【請求項４】
前記管理サーバは、前記会員情報記録手段に記録された挙式日付からの経過日数に対応して、結婚生活に関する情報を前記会員端末へ送信する結婚生活情報送信手段を有する
請求項１〜３のいずれか１つに記載の生活支援システム。
【請求項５】
管理サーバに、結婚式場情報を送信するよう要求する結婚式場情報送信要求手段と、
前記管理サーバに、結婚式場の仮予約を申し込む情報を送信する結婚式場仮予約申込情報送信手段とを有する、会員が利用する会員端末と、
会員に関する情報を記録する会員情報記録手段と、
結婚式場に関する情報を記録する結婚式場情報記録手段と、
前記会員端末からの要求に応じて、前記結婚式場情報記録手段に記録された結婚式場情報を前記会員端末へ送信する結婚式場情報送信手段と、
前記結婚式場仮予約申込情報送信手段によって結婚式場仮予約申込情報が送信された場合に、結婚式場が利用する結婚式場端末へ結婚式場仮予約申込情報を転送する結婚式場仮予約申込情報転送手段とを有する前記管理サーバとによって会員の生活を支援する
生活支援システム。
【発明の詳細な説明】
【技術分野】
【０００１】
本発明は生活支援システムに関する。詳しくは、結婚式を決めるまでの支援、結婚式が決まってからの結婚式の準備支援、そして結婚式後の生活支援を行なう生活支援システムに係るものである。
【背景技術】
【０００２】
近年、結婚式を行なう場所として、交通の利便性がよく、広い面積を確保できるという理由から、ホテルを利用する人が多く、その次に多いのが結婚式場である。ホテルや結婚式場は、結婚式に関するほとんどすべての用意を行ない、華やかな演出まで行なってくれるので、利用者にとっては大変便利である。
【０００３】
また、ハウスウェディングと称する一軒家を借りきったパーティー形式の結婚式および披露宴を行なうこともある。ハウスウェディング方式の結婚式場として、例えば特許文献１には、エントランスロビー、受付、新婦支度室、新婦側待合室、新郎側待合室、来賓待合室、挙式会場、ファミリーガゼポ、写真室、コンサバトリー、パティオ、オランジェリー、披露宴会場、厨房室およびスタッフ室が同一敷地内に設置され、挙式会場から複数の披露宴会場までの挙式参加者（顧客）の移動状況を示す夫々の顧客動線が互いに重合しないように複数の披露宴会場が配置された結婚式場が記載されている。従って、挙式参加者は、貸し切りによる贅沢で優雅な満足感を得ることができる。
【先行技術文献】
【特許文献】
【０００４】
【特許文献１】特開２００４−６０３４４号公報
【発明の概要】
【発明が解決しようとする課題】
【０００５】
ところで、顧客（新郎新婦）が結婚式場を決めるまでは、顧客は、結婚式場が開催するブライダルフェアなどに参加して会場を見学し、その場で見積額を聞いたり、見学前であれば、情報誌で費用を調べたりするのみであり、会場同士の充分な比較検討ができていなかった。
また、結婚式場としても、平日や仏滅の日などの特異日は予約が埋まりにくく、値段を割り引いてでも、このような特異日に結婚式の予約を取りたいという希望があった。
【０００６】
本発明は、以上の点に鑑みて創案されたものであり、結婚式場の決定を支援できる生活支援システムを提供することを目的とする。
【課題を解決するための手段】
【０００７】
上記の目的を達成するために、本発明の生活支援システムは、会員に関する情報を記録する会員情報記録手段と、結婚式場に関する情報を記録する結婚式場情報記録手段と、前記会員情報記録手段に記録された会員が利用する会員端末からの要求に応じて、前記結婚式場情報記録手段に記録された結婚式場情報を前記会員端末へ送信する結婚式場情報送信手段と、前記会員端末から結婚式場の仮予約を申し込む情報を受信する結婚式場仮予約申込情報受信手段と、該結婚式場仮予約申込情報受信手段によって結婚式場仮予約申込情報を受信した場合に、結婚式場が利用する結婚式場端末へ結婚式場仮予約申込情報を転送する結婚式場仮予約申込情報転送手段とを有する管理サーバによって会員の生活を支援する。
【０００８】
ここで、会員情報記録手段に記録された会員が利用する会員端末からの要求に応じて、結婚式場情報記録手段に記録された結婚式場情報を会員端末へ送信する結婚式場情報送信手段によって、結婚式場情報記録手段に記録された結婚式場情報には、各結婚式場の時系列の予算情報や式場の概要（建物外観、建物内設備、料理、アクセスなど）が含まれているので、会員になった顧客は、各結婚式場を閲覧及び比較することができる。
また、会員端末から結婚式場の仮予約を申し込む情報を受信する結婚式場仮予約申込情報受信手段によって、会員は、各結婚式場を充分に比較したうえで、気に入った結婚式場の仮予約もできる。
また、結婚式場に関する情報を記録する結婚式場情報記録手段によって、例えば結婚式場の明確な料金やディスカウントを行なえる日程を記録して、結婚式場のアピールを行なうことができる。
なお、本発明で言う「結婚式場」は、結婚式や披露宴が行われる場所を意味しており、一般的な結婚式場の他にホテルなども含まれる。
【０００９】
また、本発明の生活支援システムにおいて、管理サーバは、現在の日付から会員情報記録手段に記録された挙式予定日付までの日数に対応して、挙式に関する情報を会員端末へ送信する挙式情報送信手段を有する場合、会員は、送られてくる情報を参考にして、挙式の準備を円滑に進めることができる。
【００１０】
さらに、本発明の生活支援システムにおいて、管理サーバは、結婚に関連する店舗の情報を記録する結婚関連店舗情報記録手段と、結婚関連店舗情報記録手段に記録された結婚関連店舗情報を会員端末へ送信する結婚関連店舗情報送信手段とを有する場合、会員は、結婚式場の情報に限らず、例えば貸衣装店、生花店、ギフトショップ、写真館、司会者を派遣する会社、宝飾店、結納品店、エステサロン、二次会用店舗のように結婚に関連する店舗情報を入手できる。
また、結婚に関連する店舗の情報を記録する結婚関連店舗情報記録手段によって、例えばオンシーズン料金やオフシーズン料金などの明確な料金、並びに商品サービスの情報を記録して、店舗のアピールを行なうことができる。
【００１１】
また、本発明の生活支援システムにおいて、管理サーバは、会員情報記録手段に記録された挙式日付からの経過日数に対応して、結婚生活に関する情報を会員端末へ送信する結婚生活情報送信手段を有する場合、会員は、挙式後も例えばベビー関連情報、衣食住の情報、教育関連情報といった結婚生活に関する様々な役立つ情報を入手できる。
【００１２】
また、上記の目的を達成するために、本発明の生活支援システムは、管理サーバに、結婚式場情報を送信するよう要求する結婚式場情報送信要求手段と、前記管理サーバに、結婚式場の仮予約を申し込む情報を送信する結婚式場仮予約申込情報送信手段とを有する、会員が利用する会員端末と、会員に関する情報を記録する会員情報記録手段と、結婚式場に関する情報を記録する結婚式場情報記録手段と、前記会員端末からの要求に応じて、前記結婚式場情報記録手段に記録された結婚式場情報を前記会員端末へ送信する結婚式場情報送信手段と、前記結婚式場仮予約申込情報送信手段によって結婚式場仮予約申込情報が送信された場合に、結婚式場が利用する結婚式場端末へ結婚式場仮予約申込情報を転送する結婚式場仮予約申込情報転送手段とを有する前記管理サーバとによって会員の生活を支援する。
【発明の効果】
【００１３】
本発明に係る生活支援システムは、結婚式場の決定を支援できる。
【図面の簡単な説明】
【００１４】
【図１】本発明の生活支援システムの一例を示す概略図である。
【図２】本発明の生活支援システムの流れの一例を示す概略図である。
【発明を実施するための形態】
【００１５】
以下、本発明の実施の形態について図面を参照しながら説明し、本発明の理解に供する。
図１は、本発明の生活支援システムの一例を示す概略図である。
本発明の生活支援システム１は、管理サーバ２と、会員が利用する会員端末３と、結婚式場が利用する結婚式場端末４とで構成される。
また、管理サーバ２は、会員に関する情報（例えば氏名、住所、電話番号、会員ＩＤ、会員パスワード、挙式予定日付、挙式参加人数、挙式日付）を記録する会員情報データベース（会員情報記録手段の一例である。）６を有する。
また、管理サーバ２は、結婚式場に関する情報（例えば式場名、所在地、担当者名、日程別料金、予約状況、建物外観、建物内設備、料理、式場へのアクセス）を記録する結婚式場情報データベース（結婚式場情報記録手段の一例である。）７を有する。なお、結婚式場に関する情報は、種別（例えば地域、会場規模、予算、日程別料金）ごとに記録されている。
また、結婚式場の責任者は、管理サーバ２の管理者と契約してＩＤとパスワードを付与してもらい、結婚式場端末４から管理サーバ２が運営するウェブサイトにログインして、結婚式場情報データベース７に記録される日程別料金、特典情報などを変更できる。
【００１６】
また、会員端末３は、管理サーバ２に対して、結婚式場情報データベース７に記録された結婚式場情報を会員端末３に送信するよう要求する結婚式場情報送信要求手段１４を有する。
また、管理サーバ２は、会員端末３からの要求に応じて、結婚式場情報データベース７に記録された結婚式場情報を会員端末３へインターネット５を介して送信する結婚式場情報送信手段８を有する。なお、「会員端末からの要求に応じて、結婚式場情報データベース７に記録された結婚式場情報を会員端末へインターネット５を介して送信する」とは、換言すれば、「会員端末３のブラウザに、結婚式場情報データベース７に記録された結婚式場情報を取込む」ことであり、これにより、会員は、会員端末３の画面で結婚式場情報を見ることができる。
【００１７】
また、会員端末３は、管理サーバ２から送られてきた結婚式場情報の中から、結婚式場の仮予約を申し込む情報を管理サーバ２にインターネット５を介して送信する結婚式場仮予約申込情報送信手段１５を有する。ここで、結婚式場仮予約申込情報は、式場名だけでなく、その式場が提示する日程や、見学希望日時も指定した情報である。
【００１８】
また、管理サーバ２は、会員端末３から結婚式場仮予約申込情報が送信された場合に、結婚式場が利用する結婚式場端末４へインターネット５を介して結婚式場仮予約申込情報を転送する結婚式場仮予約申込情報転送手段９を有する。
【００１９】
また、管理サーバ２は、現在の日付から会員情報データベース６に記録された挙式予定日付までの日数に対応して、挙式に関する情報（例えば挙式○○ヶ月前までに準備すべきこと）を会員端末３へインターネット５を介して送信する挙式情報送信手段１０を有する。
また、管理サーバ２は、挙式後、会員情報データベース６に記録された挙式日付からの経過日数に対応して、結婚生活に関する情報（例えばベビー関連情報、衣食住の情報、教育関連情報といった結婚生活に関する様々な役立つ情報）を会員端末３へインターネット５を介して送信する結婚生活情報送信手段１１を有する。
また、管理サーバ２は、結婚に関連する店舗（例えば貸衣装店、生花店、ギフトショップ、写真館、司会者を派遣する会社、宝飾店、結納品店、エステサロン、二次会用店舗）の情報（例えば、価格情報、店舗概要、商品画像）を記録する結婚関連店舗情報データベース（結婚関連店舗情報記録手段の一例である。）１２を有する。
また、管理サーバ２は、結婚関連店舗情報データベース１２に記録された結婚関連店舗情報を会員端末３へインターネット５を介して送信する結婚関連店舗情報送信手段１３を有する。
【００２０】
ここで、管理サーバが、会員情報記録手段と、結婚式場情報記録手段と、会員端末からの要求に応じて、結婚式場情報記録手段に記録された結婚式場情報を会員端末へ送信する結婚式場情報送信手段と、会員端末から結婚式場の仮予約を申し込む情報を受信する手段と、結婚式場仮予約申込情報を受信した場合に、結婚式場が利用する結婚式場端末へ結婚式場仮予約申込情報を転送する結婚式場仮予約申込情報転送手段とを有していれば、必ずしも管理サーバは、挙式情報送信手段を有していなくてもよい。
しかし、管理サーバが、現在の日付から会員情報記録手段に記録された挙式予定日付までの日数に対応して、挙式に関する情報を前記会員端末へ送信する挙式情報送信手段を有していれば、会員は、送られてくる情報を参考にして、挙式の準備を円滑に進めることができるので、好ましい。
【００２１】
また、管理サーバが、会員情報記録手段と、結婚式場情報記録手段と、会員端末からの要求に応じて、結婚式場情報記録手段に記録された結婚式場情報を会員端末へ送信する結婚式場情報送信手段と、会員端末から結婚式場の仮予約を申し込む情報を受信する手段と、結婚式場仮予約申込情報を受信した場合に、結婚式場が利用する結婚式場端末へ結婚式場仮予約申込情報を転送する結婚式場仮予約申込情報転送手段とを有していれば、必ずしも管理サーバは、結婚生活情報送信手段を有していなくてもよい。
しかし、管理サーバが、会員情報記録手段に記録された挙式日付からの経過日数に対応して、結婚生活に関する情報を会員端末へ送信する結婚生活情報送信手段を有していれば、会員は、挙式後も例えばベビー関連情報、衣食住の情報、教育関連情報といった結婚生活に関する様々な役立つ情報を入手できるので、好ましい。
【００２２】
また、管理サーバが、会員情報記録手段と、結婚式場情報記録手段と、会員端末からの要求に応じて、結婚式場情報記録手段に記録された結婚式場情報を会員端末へ送信する結婚式場情報送信手段と、会員端末から結婚式場の仮予約を申し込む情報を受信する手段と、結婚式場仮予約申込情報を受信した場合に、結婚式場が利用する結婚式場端末へ結婚式場仮予約申込情報を転送する結婚式場仮予約申込情報転送手段とを有していれば、必ずしも管理サーバは、結婚関連店舗情報データベースや結婚関連店舗情報送信手段を有していなくてもよい。
しかし、管理サーバが、結婚関連店舗情報データベースや結婚関連店舗情報送信手段を有していれば、会員は、結婚式場の情報に限らず、例えば貸衣装店、生花店、ギフトショップ、写真館、司会者を派遣する会社、宝飾店、結納品店、エステサロン、二次会用店舗のように結婚に関連する店舗情報を入手できるので、好ましい。
【００２３】
図２は、本発明の生活支援システムの流れの一例を示す概略図である。
結婚式場の担当者は、結婚式場が利用する結婚式場端末４から管理サーバ２に、結婚式場の情報（例えば、結婚式場の名称、結婚式場の所在地、担当者名、収容可能人数、特色ＰＲコメント、基本料金、日程別料金、空き状況、式場建物の外観写真、式場の写真、料理、式場へのアクセス）を送信して、管理サーバ２に登録する（ステップＳ１）。
一方、顧客は、通信可能な情報端末などから管理サーバ２に、氏名、住所、挙式予定日、参加人数などを送信して会員登録を行ない、会員ＩＤと会員パスワードを付与される。そして、会員登録を済ませて会員となった顧客は、会員端末３から管理サーバ２が運営するウェブサイトにログインして、日程や料金などの条件を入力し、管理サーバ２の結婚式場情報データベース７に記録された様々な結婚式場の中から、結婚式場の比較検討を行なう（ステップＳ２）。
次に、会員は、気に入った結婚式場とその式場の日程を指定して、会員端末３から結婚式場の仮予約を申し込む（ステップＳ３）。この場合、挙式予定日付、会員の氏名、住所、電話番号、見学希望日時も管理サーバ２へ送信する。
そして、仮予約の申し込みを受けた管理サーバ２は、会員端末から受信した仮予約申込情報を結婚式場端末４へ転送する（ステップＳ４）。
その後は、会員と結婚式場とが交渉を行ない、無事に挙式が済めば、結婚式場から管理サーバ２の管理者に対し手数料が支払われる。
【００２４】
以上のように、本発明の生活支援システムは、管理サーバが結婚式場の情報をデータベースに記録し、会員となった顧客が、管理サーバが運営するサイトにアクセスして様々な結婚式場を比較検討し、管理サーバに対して結婚式場の仮予約を申し込むので、結婚式場の決定を支援できる。
【００２５】
また、結婚式場情報データベースには、日程別料金などが記録されているので、日程を選んで低予算で結婚式を挙げることができ、新生活への費用面での不安を解消し、挙式数も増加させることが期待できる。
また、平日を選んで、「平日婚」などの新しい婚礼文化の創造も期待できる。
【００２６】
また、結婚式場としても、オフシーズンの日程を顧客が選んでくれれば、売れにくい会場在庫や売れ残っている会場在庫を売ることができ、業界全体を活性化できる。
また、挙式後は、管理サーバから結婚生活情報を送信するので、会員と挙式後の良い関係を連綿と続けていくことができ、その後の二次的発注（お祝いの宴席など）や紹介による新たな顧客創出にもつながる。
また、管理サーバからベビー関連情報、衣食住の情報、教育関連情報といった結婚生活に関する様々な役立つ情報を送信するので、このような業界への活性波及効果も見込める。
また、結婚式場は、情報誌掲載などの広告経費を節約できたり、営業スタッフなどの労務減少による人件費を削減したりできる。
【００２７】
また、結婚式場や結婚関連店舗は、積極的にＰＲ情報を管理サーバに登録できるので、現状の「待ちの営業」から、有力な見込客への情報発信を行なう「攻めの営業」へ転換できる。
【００２８】
また、管理サーバへの登録をきっかけに、様々な生活支援情報が会員端末へ配信されるので、生活関連総合サービス業として社会貢献することができる。
【符号の説明】
【００２９】
１    生活支援システム
２    管理サーバ
３    会員端末
４    結婚式場端末
５    インターネット
６    会員情報データベース
７    結婚式場情報データベース
８    結婚式場情報送信手段
９    結婚式場仮予約申込情報転送手段
１０    挙式情報送信手段
１１    結婚生活情報送信手段
１２    結婚関連店舗情報データベース
１３    結婚関連店舗情報送信手段
１４    結婚式場情報送信要求手段
１５    結婚式場仮予約申込情報送信手段
【図１】
2011022697.tif 000003
【図２】
2011022697.tif 000004